(57)【特許請求の範囲】
【請求項１】
顔を含めた頭部、胴部、腕部、脚部を含めて全体を覆う繋ぎ式のタイプの防護服本体を備え、前記防護服本体は、空気の圧送によりその内部を陽圧にするための空気供給手段を備え、前記防護服本体にはその内部の空気が必要圧以上になると放圧する放圧部を備えている陽圧式防護服において、
前記空気供給手段はベスト式エアバックであって、前記防護服本体の内側で着用者が着用するベスト型エアバッグ本体を備え、前記ベスト型エアバッグ本体は、前記防護服本体を気密的に貫通して前記ベスト型エアバッグ本体内へ外部より空気の圧送を行う空気供給ホースを備え、さらに、前記ベスト型エアバッグ本体は内部に供給された空気を貯留するとともに、内部空気圧により前記ベスト型エアバッグ本体に貯留した空気を放出し、前記防護服本体内を陽圧にする空気放出手段を備えており、前記ベスト型エアバッグ本体が備えている前記空気放出手段は、前記ベスト型エアバッグ本体を、前記ベスト型エアバッグ本体の内部空気圧がある一定の圧力を超えると少量の空気を通過させる通気度の低い生地で構成するとともに、前記ベスト型エアバッグ本体の背部に小孔を設けたものであることを特徴とする陽圧式防護服。
【請求項２】
前記ベスト型エアバッグ本体に備えた空気供給ホースは、その先端にサイレンサーを備えていることを特徴とする請求項１に記載の陽圧式防護服。
【発明の詳細な説明】
【技術分野】
【０００１】
本発明は、顔を含めた頭部、胴部、腕部、脚部を含めて全体を覆う繋ぎタイプの防護服本体を備え、前記防護服本体の内部に空気の圧送により陽圧にすることにより外部の空気を防護服本体内に入り込ませないタイプで、劣悪な環境から人体を守る陽圧式防護服に関するものである。
【背景技術】
【０００２】
従来のこの種の陽圧式防護服１は、図６に示すように、防護服本体２を備え、該防護服本体２は顔を含めた頭部３、胴部４、腕部５、脚部６を含めて全体を覆う繋ぎ式のタイプであつて、前記防護服本体２はその内部に空気の圧送により陽圧にするための空気供給手段７を備え、前記防護服本体２にはその内部の空気が必要圧以上になると放圧する放圧部８を備えている（例えば、特許文献１参照。）。頭部３は、前部が見えるように透明板部３ａを備えている。腕部５は、着用者の手を覆う手袋部５ａを備えている。脚部６は、着用者の足を覆う足袋部６ａを備えている。
【０００３】
この空気供給手段７は、防護服本体２の内面に空気分岐部１９を固定し、この空気分岐部１９に防護服本体２の外部から空気供給ホース１１を接続して図示しないコンプレッサー等から空気を圧送し、また空気分岐部１９には胴部４、腕部５及び脚部６などに空気を放出する複数本の空気分配ホース２０を防護服本体２の内面に沿わせて固定し、各空気分配ホース２０の先端の各空気放出部２０ａから放出する空気により防護服本体２の内部を陽圧にしている。
【先行技術文献】
【特許文献】
【０００４】
【特許文献１】特開２００７−２７５５３７号公報  図１３
【発明の概要】
【発明が解決しようとする課題】
【０００５】
しかしながら、このような構造の陽圧式防護服１では、この防護服本体２の内部に空気分岐部１９から多数本の空気分配ホース２０が複雑に分岐し、防護服本体２の内面に固定されているので、着用者が非常に動き難く、その行動が制限されるといった問題がある。
また、このような陽圧式防護服１では、着用者が屈伸動作を行った場合、屈んだ時に放圧部８からこの防護服本体２の内部の空気が外部に一気に放圧され、伸びた時に防護服本体２の内部が一瞬陰圧になり、放圧部８などから外部の空気が防護服本体２の内部に吸引されることがあり、外部の汚染されている空気が防護服本体２内に入ってしまう恐れがあるといった問題がある。
また、このような陽圧式防護服１では、防護服本体２の内部に圧送された空気が該防護服本体２内に各空気放出部２０ａから局所的に放出分散されるので、空気の流れが速く、流れの速い乾燥空気が顔面を流れるため着用者の目が乾き易きやすいといった問題がある。
また、各空気放出部２０ａから空気を防護服本体２の内部に放出させているので、各空気放出部２０ａでの空気放出時の流速によって風切り音がかなり高く、騒音レベルが１００ｄＢ程度になり、着用者に不快感を与え、着用者のストレスを増加させるおそれがあるといった問題がある。
また、このような陽圧式防護服１では、空気供給手段７の構成が複雑で、空気分岐部１９や複数本の空気分配ホース２０など部品点数が多く、陽圧式防護服１への固定作業が面倒であり、また、このような陽圧式防護服１では、防護服本体２が傷み使用できなくなったような場合、空気供給手段７を再利用しようとしたときにユーザーの段階では作業が難しいといった問題がある。
【０００６】
本発明の目的は、動きやすく、安全性が高く、着用者のストレスの低減が図れ、さらに取り扱いに便利な陽圧式防護服を提供することにある。
【課題を解決するための手段】
【０００７】
上記の目的を達成するために請求項１に記載の発明は、顔を含めた頭部、胴部、腕部、脚部を含めて全体を覆う繋ぎ式のタイプの防護服本体を備え、前記防護服本体は、空気の圧送によりその内部を陽圧にするための空気供給手段を備え、前記防護服本体にはその内部の空気が必要圧以上になると放圧する放圧部を備えている陽圧式防護服において、前記空気供給手段はベスト式エアバックであって、前記防護服本体の内側で着用者が着用するベスト型エアバッグ本体を備え、前記ベスト型エアバッグ本体は、前記防護服本体を気密的に貫通して前記ベスト型エアバッグ本体内へ外部より空気の圧送を行う空気供給ホースを備え、さらに、前記ベスト型エアバッグ本体は内部に供給された空気を貯留するとともに、内部空気圧により前記ベスト型エアバッグ本体に貯留した空気を放出し、前記防護服本体内を陽圧にする空気放出手段を備えており、前記ベスト型エアバッグ本体が備えている前記空気放出手段は、前記ベスト型エアバッグ本体を、前記ベスト型エアバッグ本体の内部空気圧がある一定の圧力を超えると少量の空気を通過させる通気度の低い生地で構成するとともに、前記ベスト型エアバッグ本体の背部に小孔を設けたものであることを特徴とする。
【００１０】
請求項２に記載の発明は、請求項１に記載の、前記ベスト型エアバッグ本体に備えた空気供給ホースは、その先端にサイレンサーを備えていることを特徴とする。
【発明の効果】
【００１１】
請求項１に記載の陽圧式防護服によれば、前記空気供給手段はベスト式エアバックであって、前記防護服本体の内側で着用者が着用するベスト型エアバッグ本体を備え、前記ベスト型エアバッグ本体は、前記防護服本体を気密的に貫通して前記ベスト型エアバッグ本体内へ外部より空気の圧送を行う空気供給ホースを備え、さらに、前記ベスト型エアバッグ本体は内部に供給された空気を貯留するとともに、内部空気圧により前記ベスト型エアバッグ本体に貯留した空気を放出し、前記防護服本体内を陽圧にする空気放出手段を備えているので、着用者は前記防護服本体内に前記ベスト式エアバックを着用すればよく、従来の空気分岐部から多数本の前記空気分配ホースを内面に沿って固定する空気供給手段をもつ陽圧式防護服に比べ、着用者が非常に動き易く、その行動が制限されない。
また、着用者が屈伸動作を行った場合、屈んだ時に放圧部から前記防護服本体の内部の空気が外部に一気に放圧され、伸びあがることにより防護服本体の内部が一瞬陰圧になったとき、前記ベスト型エアバッグ本体に貯留した空気が防護服本体の陰圧となった内部に吸引されて一気に放出され、防護服本体の内部を陽圧に戻すので、着用者が屈伸動作を行うことにより防護服本体の内部が一瞬陰圧になった場合、防護服本体内に外部の汚染されて空気が吸引され入り込むといった事態を防止することができる。
また、前記空気供給手段が前記ベスト式エアバックなので、前記防護服本体から容易に外すことができ、前記防護服本体が傷んで使用できなくなった時に前記ユーザーの段階でも再利用の作業を容易に行うことができる。また、従来の空気供給手段に比べ部品点数が少なく、コストを低減することができる。
さらに、前記ベスト型エアバッグ本体が備えている前記空気放出手段は、前記ベスト型エアバッグ本体を、前記ベスト型エアバッグ本体の内部空気圧がある一定の圧力を超えると少量の空気を通過させる通気度の低い生地で構成するとともに、前記ベスト型エアバッグ本体の背部に小孔を設けたものであるので、前記防護服本体における空気の流れが遅く、空気の流れによる着用者の目の乾きを抑えることができ、また、着用時は前記ベスト型エアバッグ本体は膨らみ着用者の身体に密着し、そして、前記ベスト型エアバッグ本体から身体との接点に満遍なく空気が少量づつ放出するので、身体表面の気化熱を奪う効果があり、涼しさを感じることができる。さらに、前記ベスト型エアバッグ本体の背部に設けた小孔から空気が容易に放出されるので、防護服本体の内部が一瞬陰圧になったとき、前記ベスト型エアバッグ本体に貯留した空気が小孔から一気に放出され、防護服本体の内部を瞬時に陽圧に戻すことができ、着用者が屈伸動作を行うことにより防護服本体の内部が一瞬陰圧になった場合、防護服本体内に外部の汚染された空気が吸引され入り込むといった事態を一層確実に防止することができる。
【００１４】
請求項２に記載の陽圧式防護服によれば、請求項１に記載の、前記ベスト型エアバッグ本体に備えた空気供給ホースは、その先端にサイレンサーを備えているので、空気供給ホースから前記ベスト型エアバッグ本体内に空気を放出する時に生じる風切り音を前記サイレンサーにより低減でき、着用者のストレスを軽減できる。
【図面の簡単な説明】
【００１５】
【図１】本発明に係る陽圧式防護服の実施の一例を示す正面図である。
【図２】本発明に係る陽圧式防護服における空気供給手段となるベスト式エアバックの斜視図である。
【図３】図２に示すベスト式エアバックの正面図である。
【図４】図２に示すベスト式エアバックの背面図である。
【図５】防護服本体とベスト型エアバッグ本体との空気供給の接続状態を示す断面図である。
【図６】従来の陽圧式防護服を示す概略構成説明図である。
【発明を実施するための形態】
【００１６】
以下、本発明に係る陽圧式防護服を実施するための形態を、図１乃至図５を参照して詳細に説明する。図１は本発明に係る陽圧式防護服の実施の一例を示す正面図、図２は本発明に係る陽圧式防護服における空気供給手段となるベスト式エアバックの斜視図、図３は図２に示すベスト式エアバックの正面図、図４は図２に示すベスト式エアバックの背面図、図５は防護服本体とベスト型エアバッグ本体との空気供給の接続状態を示す断面図である。
【００１７】
この陽圧式防護服１は、図１に示すように、防護服本体２を備え、該防護服本体２は顔を含めた頭部３、胴部４、腕部５、脚部６を含めて全体を覆う繋ぎ式のタイプである。頭部３は、前部が見えるように透明板部３ａを備えている。腕部５は、着用者の手を覆う手袋部５ａを備えている。脚部６は、着用者の足を覆う足袋部６ａを備えている。防護服本体２は、空気の圧送によりその内部を陽圧にするための空気供給手段７を備えている。また、防護服本体２は、その内部の空気が必要圧以上になると空気を放出することにより放圧する放圧部８を備えている。また、防護服本体２には、着用者が防護服本体２を着脱するためのシール性を備えた着脱用開閉部９が設けられている。
【００１８】
前記空気供給手段７は図２乃至図５に示すようなベスト式エアバックであって、防護服本体２の内側で着用者が着用するベスト型エアバッグ本体１０を備えている。ベスト型エアバッグ本体１０は、防護服本体２を気密的に貫通してベスト型エアバッグ本体１０内へ外部より空気の圧送を行う空気供給ホース１１を備えている。空気供給ホース１１の先端にはサイレンサー１２を備えている。
【００１９】
本例では、ベスト型エアバッグ本体１０にサイレンサー１２が貫通し、その貫通部分はシール部１３でシールされている。また、空気供給ホース１１が防護服本体２に貫通している貫通部分もシール部１４でシールされている。シール部１４は、防護服本体２に空気供給ホース１１を貫通させた後にシールを行うようになっている。ベスト型エアバッグ本体１０を防護服本体２から外す場合には、シール部１４を壊して空気供給ホース１１を防護服本体２から引き抜けばよい。空気供給ホース１１の先端には、図示しない他の空気供給ホースに接続するプラグ１５を備えている。
【００２０】
前記ベスト型エアバッグ本体１０は内部に供給された空気を貯留するとともに、内部空気圧によりベスト型エアバッグ本体１０に貯留した空気を放出し、防護服本体２内を陽圧にする空気放出手段１６を備えている。前記空気放出手段１６にあっては、内部に供給された空気を貯留するとともに、内部空気圧によりベスト型エアバッグ本体１０に貯留した空気を放出できるものであればその構成に特に限定されない。
【００２１】
本例では、空気放出手段１６は、ベスト型エアバッグ本体１０を、ベスト型エアバッグ本体１０の内部空気圧が一定の圧力を超えると少量の空気を通過させる通気度の低い生地で構成したものである。通気度の低い生地として、例えば不織布がある。本例では、不織布としてデュポン社製のタイベック（登録商標）を使用している。
さらに、本例では、空気放出手段１６として、前記ベスト型エアバッグ本体１０を、ベスト型エアバッグ本体１０の内部空気圧が一定の圧力を超えると少量の空気を通過させる通気度の低い生地とした構成に加え、ベスト型エアバッグ本体１０の背部に小孔１７を設けた構成としている。
【００２２】
ベスト型エアバッグ本体１０は、前身頃を開いて着用者が着る形式となっており、前身頃の合わせ部位には前身頃を閉じるファスナー１８が設けられている。
【００２３】
以上のように構成された陽圧式防護服１によれば、空気供給手段７はベスト式エアバックであって、防護服本体２の内側で着用者が着用するベスト型エアバッグ本体１０を備え、ベスト型エアバッグ本体１０は、防護服本体２を気密的に貫通してベスト型エアバッグ本体１０内へ外部より空気の圧送を行う空気供給ホース１１を備え、さらに、ベスト型エアバッグ本体１０は内部に供給された空気を貯留するとともに、内部空気圧により前記ベスト型エアバッグ本体１０に貯留した空気を放出し、防護服本体２内を陽圧にする空気放出手段１６を備えているので、着用者は防護服本体２内にベスト型エアバッグ本体１０を着用すればよく、従来の空気分岐部から多数本の空気分配ホースを内面に沿って固定する空気供給手段をもつ陽圧式防護服に比べ、着用者が非常に動き易く、その行動が制限されない。
【００２４】
また、着用者が屈伸動作を行った場合、屈んだ時に放圧部８から防護服本体２の内部の空気が外部に一気に放圧され、伸びあがることにより防護服本体２の内部が一瞬陰圧になったとき、ベスト型エアバッグ本体１０に貯留した空気が防護服本体２の陰圧となった内部に吸引されて一気に放出され、防護服本体２の内部を陽圧に戻すので、着用者が屈伸動作を行うことにより防護服本体２の内部が一瞬陰圧になった場合、防護服本体２内に外部の汚染されて空気が吸引され入り込むといった事態が防止できる。
【００２５】
また、本例では、ベスト型エアバッグ本体１０が備えている空気放出手段７は、ベスト型エアバッグ本体１０を、ベスト型エアバッグ本体１０の内部空気圧がある一定の圧力を超えると少量の空気を通過させる通気度の低い生地、例えば不織布で構成したものであるので、防護服本体２における空気の流れが遅く、空気の流れによる着用者の目の乾きを抑えることができ、また、着用時はベスト型エアバッグ本体１０は膨らみ着用者の身体に密着し、そして、ベスト型エアバッグ本体１０から身体との接点に満遍なく空気が少量づつ放出するので、身体表面の気化熱を奪う効果があり、涼しさを感じることができる。
【００２６】
さらに、本例では、空気放出手段１６として、前記ベスト型エアバッグ本体１０を、ベスト型エアバッグ本体１０の内部空気圧がある一定の圧力を超えると少量の空気を通過させる通気度の低い生地とした構成に加え、ベスト型エアバッグ本体１０の背部に小孔１７を設けた構成としているので、ベスト型エアバッグ本体１０の背部に設けた小孔１７から空気が容易に放出され、防護服本体２の内部が一瞬陰圧になったとき、ベスト型エアバッグ本体１０に貯留した空気が小孔１７から一気に放出され、防護服本体２の内部を瞬時に陽圧に戻すことができ、着用者が屈伸動作を行うことにより防護服本体２の内部が一瞬陰圧になった場合、防護服本体２内に外部の汚染された空気が吸引され入り込むといった事態を一層確実に防止することができる。
【００２７】
また、ベスト型エアバッグ本体１０に備えた空気供給ホース１１は、その先端にサイレンサー１２を備えているので、空気供給ホース１１からベスト型エアバッグ本体１０内に空気を放出する時に生じる風切り音をサイレンサー１２により低減でき、着用者のストレスを軽減できる。
【００２８】
さらには、空気供給手段７がベスト式エアバックなので、防護服本体２から容易に外すことができ、防護服本体２が傷んで使用できなくなった時にユーザーの段階でも再利用の作業を容易に行うことができる。また、従来の空気供給手段に比べ部品点数が少なく、コストを低減することができる。
【符号の説明】
【００２９】
１  陽圧式防護服
２  防護服本体
３  頭部
３ａ  透明板部
４  胴部
５  腕部
５ａ  手袋部
６  脚部
６ａ  足袋部
７  空気供給手段
８  放圧部
９  着脱用開閉部
１０  ベスト型エアバッグ本体
１１  空気供給ホース
１２  サイレンサー
１３、１４  シール部
１５  プラグ
１６  空気放出手段
１７  小孔
１８  ファスナー
１９  空気分岐部
２０  空気分配ホース
２０ａ  空気放出部
【図１】
0005562312.tif 000002
【図２】
0005562312.tif 000003
【図３】
0005562312.tif 000004
【図４】
0005562312.tif 000005
【図５】
0005562312.tif 000006
【図６】
0005562312.tif 000007